(57)【要約】      （修正有）【課題】地震等の揺れ動き時に、隙間が生じることなく吸収することができる目地装置を得る。【解決手段】一方の建物の目地部側の壁面に後端部が固定されたほぼ水平に位置する目地部の左右方向の寸法のほぼ半分の長さ寸法の一方の固定パネルと、この一方の固定パネルの先端部と後端部が重なりスライド移動可能に位置する一方の固定パネル５とほぼ同じ長さ寸法の可動パネルと、この可動パネル６の後端部に下端部が固定され上端部が該可動パネルのほぼ中央部の上方へ突出するクランク状の支持片１４と、目地部側の壁面にスライド移動可能に枢支された中央維持リンクとからなる少なくとも２個以上の中央維持機構７と、先端部が可動パネルの先端部の上面と重なりスライド移動できるように位置する後端部が左右の建物の他方の建物の目地部側の壁面に固定された一方の固定パネルと同じ大きさの他方の固定パネル８とで目地装置１を構成している。【選択図】図１
2005264582.tif 000002
【特許請求の範囲】
【請求項１】
目地部を介して設けられた左右の建物の、一方の建物の目地部側の壁面に後端部が固定されたほぼ水平に位置する、前記目地部の左右方向の寸法のほぼ半分の長さ寸法の一方の固定パネルと、この一方の固定パネルの先端部と後端部が重なりスライド移動可能に位置する、該一方の固定パネルとほぼ同じ長さ寸法の可動パネルと、この可動パネルの後端部に下端部が固定され、上端部が該可動パネルのほぼ中央部の上方へ突出するクランク状の支持片、このクランク状の支持片の上端部が中央枢支部に枢支された両端部が前記左右の建物の目地部側の壁面にスライド移動可能に枢支あるいは枢支しされた中央維持リンクとからなる少なくとも２個以上の中央維持機構と、先端部が前記可動パネルの先端部の上面と重なり、スライド移動できるように位置する後端部が前記左右の建物の他方の建物の目地部側の壁面に固定された、前記一方の固定パネルと同じ大きさの他方の固定パネルとを備えることを特徴とする目地装置。
【請求項２】
目地部を介して設けられた左右の建物の、一方の建物の目地部側の壁面に後端部が固定されたほぼ水平に位置する、前記目地部の左右方向の寸法のほぼ半分の長さ寸法の樋状の一方の固定パネルと、この一方の固定パネルの先端部と後端部が重なりスライド移動可能に位置する、該一方の固定パネルとほぼ同じ長さ寸法の樋状の可動パネルと、この可動パネルの後端部に下端部が固定され、上端部が該可動パネルのほぼ中央部の上方へ突出するクランク状の支持片、このクランク状の支持片の上端部が中央枢支部に枢支された両端部が前記左右の建物の目地部側の壁面に枢支あるいはスライド移動可能に支持された中央維持リンクとからなる少なくとも２個以上の中央維持機構と、先端部が前記可動パネルの先端部の上面と重なり、スライド移動できるように位置する後端部が前記左右の建物の他方の建物の目地部側の壁面に固定された、前記一方の固定パネルと同じ大きさの樋状の他方の固定パネルとを備えることを特徴とする目地装置。  
【請求項３】
、この可動パネルの先端部に上端部が固定され、下端部が該可動パネルのほぼ中央部の下方へ突出するクランク状の支持片、このクランク状の支持片の下端部が中央枢支部に枢支された両端部が前記左右の建物の目地部側の壁面に枢支あるいはスライド移動可能に支持された中央維持リンクとからなる少なくとも２個以上の中央維持機構と、先端部が前記可動パネルの先端部の上面と重なり、スライド移動できるように位置する後端部が前記左右の建物の他方の建物の目地部側の壁面に固定された、前記一方の固定パネルと同じ大きさの樋状の他方の固定パネルとを備えることを特徴とする目地装置。  
【発明の詳細な説明】
【技術分野】
【０００１】
本発明は目地部を介して設けられた左右の建物の、対向する壁面間の水平部分を覆う目地装置に関する。
【背景技術】
【０００２】
従来のこの種の目地装置は、目地部を覆う目地パネルの一端部を一方の建物の壁面にヒンジ部材で枢支し、目地部が狭くなると回動させて目地パネルの損傷を防止する目地パネル作動機構を用いている。
【０００３】
このため、目地部の左右方向の寸法が比較的小さい場合に使用することができるが、大きいと目地パネルの重量が重くなり、スムーズに回動させることができないという欠点があった。
【特許文献１】特開２００２−３３９４６４
【発明の開示】
【発明が解決しようとする課題】
【０００４】
本発明は以上のような従来の欠点に鑑み、目地部が広くなったり、狭くなるような地震等での揺れ動き時に、スムーズにスライド移動してその揺れ動きを吸収するとともに、目地部の左右方向の寸法のほぼ半分の伸縮移動の範囲では損傷したり、隙間が生じることなく吸収することができる目地装置を提供することを目的としている。
【０００５】
また、本発明は前記目的のほかに雨樋としても使用することができる目地装置を提供することを目的としている。                    
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の、一方の建物の目地部側の壁面に後端部が固定されたほぼ水平に位置する、前記目地部の左右方向の寸法のほぼ半分の長さ寸法の一方の固定パネルと、この一方の固定パネルの先端部と後端部が重なりスライド移動可能に位置する、該一方の固定パネルとほぼ同じ長さ寸法の可動パネルと、この可動パネルの後端部に下端部が固定され、上端部が該可動パネルのほぼ中央部の上方へ突出するクランク状の支持片、このクランク状の支持片の上端部が中央枢支部に枢支された両端部が前記左右の建物の目地部側の壁面にスライド移動可能に枢支あるいは枢支された中央維持リンクとからなる少なくとも２個以上の中央維持機構と、先端部が前記可動パネルの先端部の上面と重なり、スライド移動できるように位置する後端部が前記左右の建物の他方の建物の目地部側の壁面に固定された、前記一方の固定パネルと同じ大きさの他方の固定パネルとで目地装置を構成している。
【０００８】
また、本発明は目地部を介して設けられた左右の建物の、一方の建物の目地部側の壁面に後端部が固定されたほぼ水平に位置する、前記目地部の左右方向の寸法のほぼ半分の長さ寸法の樋状の一方の固定パネルと、この一方の固定パネルの先端部と後端部が重なりスライド移動可能に位置する、該一方の固定パネルとほぼ同じ長さ寸法の樋状の可動パネルと、この可動パネルの後端部に下端部が固定され、上端部が該可動パネルのほぼ中央部の上方へ突出するクランク状の支持片、このクランク状の支持片の上端部が中央枢支部に枢支された両端部が前記左右の建物の目地部側の壁面に枢支あるいはスライド移動可能に支持された中央維持リンクとからなる少なくとも２個以上の中央維持機構と、先端部が前記可動パネルの先端部の上面と重なり、スライド移動できるように位置する後端部が前記左右の建物の他方の建物の目地部側の壁面に固定された、前記一方の固定パネルと同じ大きさの樋状の他方の固定パネルとで目地装置を構成している。
【発明の効果】
【０００９】
以上の説明から明らかなように、本発明にあっては次に列挙する効果が得られる。
【００１０】
（１）一方の建物の目地部側の壁面に後端部が固定されたほぼ水平に位置する、目地部の左右方向の寸法のほぼ半分の長さ寸法の一方の固定パネルと、この一方の固定パネルの先端部と後端部が重なりスライド移動可能に位置する、該一方の固定パネルとほぼ同じ長さ寸法の可動パネルと、この可動パネルの後端部に下端部が固定され、上端部が該可動パネルのほぼ中央部の上方へ突出するクランク状の支持片、このクランク状の支持片の上端部が中央枢支部に枢支された両端部が左右の建物の目地部側の壁面にスライド移動可能に枢支あるいは枢支された中央維持リンクとからなる少なくとも２個以上の中央維持機構と、先端部が可動パネルの先端部の上面と重なり、スライド移動できるように位置する後端部が左右の建物の他方の建物の目地部側の壁面に固定された、一方の固定パネルと同じ大きさの他方の固定パネルとで構成されているので、目地部の左右方向の寸法が大きくても、使用する固定パネルおよび可動パネルは、該目地部の左右方向の寸法のほぼ半分の長さ寸法を使用するので、小さく、容易に取り扱いすることができる。
【００１１】
（２）前記（１）によって、目地部の左右方向の寸法の半分の伸縮移動の揺れ動きを、損傷したり、隙間が生じたりすることなく吸収することができる。
【００１２】
（３）前記（１）によって、構造が簡単で、容易に設置することができるとともに、スムーズに可動パネルを一方の固定パネルと他方の固定パネルに対してスライド移動させることができる。
【００１３】
（４）請求項２、３も前記（１）〜（３）と同様な効果が得られるとともに、雨樋としても使用することができる。
【発明を実施するための最良の形態】
【００１４】
以下、図面に示す本発明を実施するための最良の形態より、本発明を詳細に説明する。
【００１５】
図１ないし図８に示す本発明を実施するための最良の第１の形態において、１は目地部２を介して設けられた左右の建物３、３の目地部側の壁面３ａ、３ａ間をほぼ水平状態で覆う本発明の目地装置で、この目地装置１は前記左右の建物３、３の一方の建物３の目地部側の壁面３ａに後端部が複数本のビス４等によって固定されたほぼ水平に位置する、前記目地部の左右方向の寸法Ｌのほぼ半分の長さ寸法の一方の固定パネル５と、この一方の固定パネル５の先端部と後端部が重なりスライド移動可能に位置する、該一方の固定パネル５とほぼ同じ長さ寸法の可動パネル６と、この可動パネル６の中央部を前記目地部２の中央部に常時位置させる、少なくとも２個以上の中央維持機構７、７と、先端部が前記可動パネル６の先端部の上面と重なりスライド移動できるように位置する後端部が前記左右の建物３、３の他方の建物３の目地部側の壁面３ａに固定された、前記一方の固定パネルと同じ大きさの他方の固定パネル８とで構成されている。
【００１６】
前記一方の固定パネル５は図４に示すように枠状のフレーム９と、このフレーム９の後端部に所定間隔で固定された壁面３ａにビス４で固定するための複数個の取付片１０と、前記フレーム９の底面および外周部を覆うように固定された化粧パネル１１とで構成されている。
【００１７】
前記可動パネル６は図５に示すように枠状のフレーム１２と、このフレーム１２の底面および外周部を覆うように固定された化粧パネル１３とで構成されている。
【００１８】
前記他方の固定パネル８は、前記一方の固定パネル５と同構成のものが使用される。
【００１９】
前記少なくとも２個以上の中央維持機構７、７は前記可動パネル６の後端部に下端部が溶接等によって固定され、上端部が該可動パネル６のほぼ中央部の上方へ突出するクランク状の支持片１４と、このクランク状の支持片１４の上端部が中央枢支部１５に枢支ピン１６で枢支された両端部が前記左右の建物３、３の目地部側の壁面３ａ、３ａに複数本のビス１７で固定されたコ字状の取付具１８、１８に枢支ピン１９、１９で枢支されたパンタグラフ状の中央維持リンク２０とで構成されている。
なお、前記パンタグラフ状の中央維持リンク２０のコ字状の取付具１８、１８を前記左右の建物３、３の目地部側の壁面３ａ、３ａにほぼ水平に固定されたレールにスライド移動可能に取付けることにより、目地部が狭くなり、かつ異なる前後方向に揺れ動いた場合にパンタグラフ状の中央維持リンク２０の目地部側の壁面３ａ、３ａに衝突するのを確実に防止することができる。
また、一方のコ字状の取付具１８をほぼ水平方向にスライド移動可能に取付けても同様な作用効果がえられる。
【００２０】
上記構成の目地装置１は通常時には図３に示すように、一方の固定パネル５の半分の先端部は可動パネル６の後端部と重なり、他方の固定パネル８の半分の先端部は可動パネル６の先端部と重なり合った状態で、目地部２を覆っている。
【００２１】
この状態で、左右の建物３、３が異なる方向に揺れ動き、目地部２が２倍となるように広くなった場合には、図７に示すように可動パネル６は少なくとも２個以上の中央維持機構７、７によって、中央部が目地部２の中央部に位置するように支持され、一方の固定パネル５と他方の固定パネル８は可動パネル６より離れる方向にスライド移動して、その揺れ動きを吸収する。
【００２２】
また、目地部２が半分となるように狭くなった場合には、図８に示すように可動パネル６は少なくとも２個以上の中央維持機構７、７によって、中央部が目地部２の中央部に位置するように支持され、一方の固定パネル５と他方の固定パネル８とが重なり合うようにスライド移動して、その揺れ動きを吸収する。
なお、揺れ動きが停止すると、いずれの場合にも自動的に元の状態へ戻る。
[発明を実施するための異なる形態]
【００２３】
次に、図９ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図９ないし図１２に示す本発明を実施するための第２の形態において、前記本発明を実施するための最良の第１の形態と主に異なる点は、可動パネル６の先端部の上方に所定間隔で固定された複数個のＴ字状の支持フレーム２１に取付けられたガイドローラ２２、２２と、このガイドローラ２２、２２をそれぞれガイドするリップミゾ形鋼形状のガイドレール２３を他方の固定パネル８Ａに埋設した点で、このように構成した目地装置１Ａにしても、前記本発明を実施するための最良の第１の形態と同様な作用効果が得られるとともに、可動パネル６の前後部が支持された状態となり、可動パネル６を安定状態に取付けることができる。
【００２５】
図１３ないし図１５に示す本発明を実施するための第３の形態において、前記本発明を実施するための最良の第１の形態と主に異なる点は、一方の固定パネル５Ａ、可動パネル６Ａおよび他方の固定パネル８Ｂを樋として使用できるように形成したものを用いるとともに、一方の固定パネル５Ａおよび他方の固定パネル８Ｂの後端部寄りの部位に排水パイプ２４、２４を取付け、可動パネル６Ａの後端部に一方の固定パネル５Ａへ排水する排水パイプ２５を設けた点と、四角枠形状のリンク本体２６、このリンク本体２６の対向するリンク２６ａ、２６ａのほぼ中央部に両端部が枢支ピン２７、２７で枢支され、中央部に中央枢支部１５が形成された中央リンク２８とからなる中央維持リンク２０Ａを使用する中央維持機構７Ａ、７Ａを用いた点で、このように構成された目地装置１Ｂにしても、前記本発明を実施するための最良の第１の形態と同様な作用効果が得られるとともに、屋外に設置することができる。
なお、この本発明を実施するための形態は前記本発明を実施するための第２の形態にも同様に実施することができる。
【００２６】
図１６ないし図１８に示す本発明を実施するための第４の形態において、前記本発明を実施するための第３の形態と主に異なる点は、可動パネル６Ａの先端部に下方へ突出するように取付けた支持片１４および、該可動パネル６Ａの下部位置に中央維持リンク２０Ａを配置した中央維持機構７Ａ、７Ａを用いた点で、このように構成した目地装置１Ｃにしても、前記本発明を実施するための第３の形態と同様な作用効果が得られる。
【００２７】
図１９ないし図２１に示す本発明を実施するための第５の形態において、前記本発明を実施するための第３の形態と主に異なる点は、左右の建物３、３の目地部側の壁面３ａ、３ａにほぼ水平状態に固定された一対のガイドレール２９、２９と、この一対のガイドレール２９、２９に両端部がスライド移動可能に支持され、中央部に支持片１４が枢支される中央枢支部１５が形成されたほぼ４５度の傾斜状態で配置される中央維持リンク２０Ｂ、２０Ｂとからなる中央維持機構７Ｂを用いた点で、このような中央維持機構７Ｂを用いて構成した目地装置１Ｄにしてもよい。
【００２８】
なお、前記本発明の各実施の形態で用いた中央維持機構以外のＸ字状の中央維持リンクを用いて中央維持機構を構成したものや、その他、中央部が目地部の中央部に常時位置させることができる機構であればどんな機構をもちいてもよい。
【産業上の利用可能性】
【００２９】
本発明は目地装置を製造する産業、およびこれを設置する産業で利用される。
【図面の簡単な説明】
【００３０】
【図１】本発明を実施するための最良の第１の形態の平面図。
【図２】本発明を実施するための最良の第１の形態の底面図。
【図３】本発明を実施するための最良の第１の形態の正面図。
【図４】本発明を実施するための最良の第１の形態の一方の固定パネルの説明図。
【図５】本発明を実施するための最良の第１の形態の可動パネルの説明図。
【図６】本発明を実施するための最良の第１の形態の中央維持機構の説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための第２の形態の平面図。
【図１０】本発明を実施するための第２の形態の底面図。
【図１１】本発明を実施するための第２の形態の正面図。
【図１２】図１０の１２−１２線に沿う断面図。
【図１３】本発明を実施するための第３の形態の平面図。
【図１４】本発明を実施するための第３の形態の正面図。
【図１５】図１３の１５−１５線に沿う断面図。
【図１６】本発明を実施するための第４の形態の平面図。
【図１７】本発明を実施するための第４の形態の底面図。
【図１８】本発明を実施するための第４の形態の正面図。
【図１９】本発明を実施するための第５の形態の平面図。
【図２０】本発明を実施するための第５の形態の底面図。
【図２１】本発明を実施するための第５の形態の正面図。
【符号の説明】
【００３１】
１、１Ａ、１Ｂ，１Ｃ，１Ｄ：目地装置、
２：目地部、                    ３：建物、
４：ビス、                      Ｌ：目地部の左右方向の寸法、
５、５Ａ：一方の固定パネル、    ６、６Ａ：可動パネル、
７、７Ａ、７Ｂ：中央維持機構、
８、８Ａ、８Ｂ：他方の固定パネル、
９：フレーム、                  １０：取付片、
１１：化粧パネル、              １２：フレーム、
１３：化粧パネル、              １４：支持片、
１５：中央枢支部、              １６：枢支ピン、
１７：ビス、                    １８：取付具、
１９：枢支ピン、
２０、２０Ａ，２０Ｂ：中央維持リンク、
２１：支持フレーム、            ２２：ガイドローラ、
２３：ガイドレール、            ２４：排水パイプ、
２５：排水パイプ、              ２６：リンク本体、
２７：枢支ピン、                ２８：中央リンク、
２９：ガイドレール。
【図１】
2005264582.tif 000003
【図２】
2005264582.tif 000004
【図３】
2005264582.tif 000005
【図４】
2005264582.tif 000006
【図５】
2005264582.tif 000007
【図６】
2005264582.tif 000008
【図７】
2005264582.tif 000009
【図８】
2005264582.tif 000010
【図９】
2005264582.tif 000011
【図１０】
2005264582.tif 000012
【図１１】
2005264582.tif 000013
【図１２】
2005264582.tif 000014
【図１３】
2005264582.tif 000015
【図１４】
2005264582.tif 000016
【図１５】
2005264582.tif 000017
【図１６】
2005264582.tif 000018
【図１７】
2005264582.tif 000019
【図１８】
2005264582.tif 000020
【図１９】
2005264582.tif 000021
【図２０】
2005264582.tif 000022
【図２１】
2005264582.tif 000023